【手続補正書】
【提出日】平成18年9月28日(2006.9.28)
【手続補正１】
【補正対象書類名】特許請求の範囲
【補正対象項目名】全文
【補正方法】変更
【補正の内容】
【特許請求の範囲】
【請求項１】
移動通信システムであって、
配下のセルが輻輳状態となったことを示す輻輳発生通知および前記輻輳状態が解消されたことを示す輻輳解消通知を送信する無線基地局装置と、
前記輻輳発生通知に基づき当該セルに対する輻輳制御を開始し、前記輻輳解消通知に基づき前記輻輳制御の解除を行う無線基地局制御装置と、
を有し、
前記無線基地局装置は、前記輻輳発生通知を送信してから前記輻輳解消通知を送信するまでの間に輻輳状態通知を所定の間隔で前記無線基地局制御装置に送信し、
前記無線基地局制御装置は、前記輻輳状態通知を受信しなかったことに基づいて前記輻輳制御を解除する
ことを特徴とする移動通信システム。
【請求項２】
前記無線基地局制御装置は、起動してから一定時間経過後に満了するタイマを有し、
前記無線基地局制御装置は、前記輻輳状態通知を受信しなかった場合に前記タイマを起動し、さらに前記輻輳状態通知を受信した場合に前記タイマをリセットし、
前記無線基地局制御装置は、前記タイマが満了した場合に前記輻輳制御を解除する
ことを特徴とする、請求項１に記載の移動通信システム。
【請求項３】
前記無線基地局制御装置は、起動してから一定時間経過後に満了するタイマを有し、
前記無線基地局制御装置は、前記輻輳発生通知を受信した場合に前記タイマを起動し、さらに前記輻輳状態通知を受信した場合に前記タイマをリセットし、
前記無線基地局制御装置は、前記タイマが満了した場合に前記輻輳制御を解除する
ことを特徴とする、請求項１に記載の移動通信システム。
【請求項４】
無線基地局装置であって、
配下のセルが輻輳状態となったことを示す輻輳発生通知および前記輻輳状態が解消されたことを示す輻輳解消通知を送信し、
前記輻輳発生通知を送信してから前記輻輳解消通知を送信するまでの間に輻輳状態通知を所定の間隔で無線基地局制御装置に送信する
ことを特徴とする無線基地局装置。
【請求項５】
無線基地局制御装置であって、
無線基地局装置からの輻輳発生通知に基づきセルに対する輻輳制御を開始し、前記無線基地局装置からの輻輳解消通知に基づき前記輻輳制御の解除を行い、
前記無線基地局装置が前記輻輳発生通知を送信してから前記輻輳解消通知を送信するまでの間に所定の間隔で送信する輻輳状態通知を受信しなかったことに基づいて前記輻輳制御を解除する
ことを特徴とする無線基地局制御装置。
【請求項６】
起動してから一定時間経過後に満了するタイマを有し、
前記輻輳状態通知を受信しなかった場合に前記タイマを起動し、さらに前記輻輳状態通知を受信した場合に前記タイマをリセットし、
前記タイマが満了した場合に前記輻輳制御を解除する
ことを特徴とする、請求項５に記載の無線基地局制御装置。
【請求項７】
起動してから一定時間経過後に満了するタイマを有し、
前記輻輳発生通知を受信した場合に前記タイマを起動し、さらに前記輻輳状態通知を受信した場合に前記タイマをリセットし、
前記タイマが満了した場合に前記輻輳制御を解除する
ことを特徴とする、請求項５に記載の無線基地局制御装置。
【請求項８】
移動通信システムにおける輻輳制御方法であって、
無線基地局装置は、配下のセルが輻輳状態となったことを示す輻輳発生通知を送信し、前記輻輳状態が解消されたことを示す輻輳解消通知を無線基地局制御装置に送信し、
前記無線基地局装置は、前記輻輳発生通知を送信してから前記輻輳解消通知を送信するまでの間に輻輳状態通知を所定の間隔で前記無線基地局制御装置に送信し、
前記無線基地局制御装置は、前記輻輳発生通知に基づき当該セルに対する輻輳制御を開始し、前記輻輳解消通知に基づき前記輻輳制御の解除を行い、
前記無線基地局制御装置は、前記輻輳状態通知を受信しなかったことに基づいて前記輻輳制御を解除する
ことを特徴とする輻輳制御方法。
【請求項９】
前記無線基地局制御装置は、前記輻輳状態通知を受信しなかった場合に、起動してから一定時間経過後に満了するタイマを起動し、さらに前記輻輳状態通知を受信した場合に前記タイマをリセットし、
前記無線基地局制御装置は、前記タイマが満了した場合に前記輻輳制御を解除する
ことを特徴とする、請求項８に記載の輻輳制御方法。
【請求項１０】
前記無線基地局制御装置は、前記輻輳発生通知を受信した場合に、起動してから一定時間経過後に満了するタイマを起動し、さらに前記輻輳状態通知を受信した場合に前記タイマをリセットし、
前記無線基地局制御装置は、前記タイマが満了した場合に前記輻輳制御を解除する
ことを特徴とする、請求項８に記載の輻輳制御方法。
【手続補正２】
【補正対象書類名】明細書
【補正対象項目名】発明の名称
【補正方法】変更
【補正の内容】
【発明の名称】移動通信システム、無線基地局装置、無線基地局制御装置、および輻輳制御方法
【手続補正３】
【補正対象書類名】明細書
【補正対象項目名】００２６
【補正方法】変更
【補正の内容】
【００２６】
本発明の目的は、無線基地局制御装置が無線基地局装置からの輻輳解消通知を受信する
ことができなかった場合でも、輻輳制御を解除することできる移動通信システム、無線基地局装置、無線基地局制御装置、および輻輳制御方法を提供することである。
【手続補正４】
【補正対象書類名】明細書
【補正対象項目名】００２７
【補正方法】変更
【補正の内容】
【００２７】
上記目的を達成するために、本発明の移動通信システムは、
配下のセルが輻輳状態となったことを示す輻輳発生通知および前記輻輳状態が解消されたことを示す輻輳解消通知を送信する無線基地局装置と、
前記輻輳発生通知に基づき当該セルに対する輻輳制御を開始し、前記輻輳解消通知に基づき前記輻輳制御の解除を行う無線基地局制御装置と、
を有し、
前記無線基地局装置は、前記輻輳発生通知を送信してから前記輻輳解消通知を送信するまでの間に輻輳状態通知を所定の間隔で前記無線基地局制御装置に送信し、
前記無線基地局制御装置は、前記輻輳状態通知を受信しなかったことに基づいて前記輻輳制御を解除する
ことを特徴とする。
【手続補正５】
【補正対象書類名】明細書
【補正対象項目名】００２８
【補正方法】変更
【補正の内容】
【００２８】
無線基地局装置は、輻輳発生通知の送信後から輻輳解消通知を送信するまでの間輻輳状態通知を所定の間隔で無線基地局制御装置に送信する。無線基地局制御装置では、無線基地局装置からの輻輳状態通知を受信することができなくなると、無線基地局装置や伝送路等で問題が発生したと判断し、輻輳制御を強制的に解除する。これにより、何等かの障害等により無線基地局制御装置が無線基地局装置からの輻輳解消通知を受信できない状況になっても輻輳状態を解除することができる。
【手続補正６】
【補正対象書類名】明細書
【補正対象項目名】００２９
【補正方法】変更
【補正の内容】
【００２９】
また、本発明の実施態様によれば、移動通信システムは、
無線基地局制御装置が、起動してから一定時間経過後に満了するタイマを有し、
無線基地局制御装置は、輻輳状態通知を受信しなかった場合にタイマを起動し、さらに輻輳状態通知を受信した場合にタイマをリセットし、
無線基地局制御装置は、タイマが満了した場合に輻輳制御を解除する
ことを特徴とする。
【手続補正７】
【補正対象書類名】明細書
【補正対象項目名】００３０
【補正方法】変更
【補正の内容】
【００３０】
輻輳状態通知を受信しなくなってからタイマに設定した時間が経過すると、輻輳制御を強制的に解除する。
【手続補正８】
【補正対象書類名】明細書
【補正対象項目名】００３１
【補正方法】変更
【補正の内容】
【００３１】
本発明のさらに他の実施態様によれば、移動通信システムは、
無線基地局制御装置が、起動してから一定時間経過後に満了するタイマを有し、
無線基地局制御装置は、輻輳発生通知を受信した場合にタイマを起動し、さらに輻輳状態通知を受信した場合にタイマをリセットし、
無線基地局制御装置は、タイマが満了した場合に輻輳制御を解除する
ことを特徴とする。
輻輳発生通知を受信してからタイマに設定した時間経過するまでに輻輳状態通知を受信しなかった場合、輻輳制御を強制的に解除する。